(57)【特許請求の範囲】
【請求項１】
回転する磁気ディスク上に、該磁気ディスクをアクセスする磁気ヘッドを先端に備えたキャリッジアーム先端の該磁気ヘッドを位置決めして、該磁気ディスクをアクセスする磁気ディスク装置において、
前記磁気ヘッドを前記磁気ディスクから離れた位置に保持するランプと、
前記磁気ディスクの回転に伴って装置内を流れる空気流中の塵埃を除去するフィルタを、前記磁気ディスクと共同して前記ランプを囲うように折り曲げた状態に保持するフィルタケースとを備えたことを特徴とする磁気ディスク装置。
【請求項２】
前記フィルタケースの一端側に、前記磁気ディスク近傍に位置するスリットシュラウドが形成されていることを特徴とする請求項１記載の磁気ディスク装置。
【発明の詳細な説明】
【技術分野】
【０００１】
本発明は、回転する磁気ディスク上に磁気ヘッドを位置決めして磁気ディスクをアクセスする磁気ディスク装置に関する。
【背景技術】
【０００２】
従来より磁気ディスク装置がコンピュータに内蔵されあるいは外付けされて多用されており、近年では、狭義のコンピュータのみでなく、ビデオ装置、デジタルカメラ、カーナビゲーション装置等にも組み込まれている。
【０００３】
この磁気ディスク装置には、大別してＣＳＳ（コンタクトストップスタート）方式と呼ばれる方式とロード／アンロード方式と呼ばれる方式が存在する。ＣＳＳ方式は、磁気ディスクをアクセスする磁気ヘッドをその磁気ディスク上に載せたままとしておく方式である。このＣＳＳ方式の場合は、磁気ディスクが回転するとその回転に伴う空気流により磁気ヘッドが磁気ディスク表面から僅かに浮き上がり、その状態で磁気ヘッドにより磁気ディスクがアクセスされる。
【０００４】
一方、ロード／アンロード方式は、磁気ディスクの回転停止時には磁気ディスクの外周から外れた位置に磁気ヘッドを移動させて（これをアンロードと称する）待機させておき、磁気ディスクを回転させてから磁気ヘッドをその磁気ディスク上に移動させる（これをロードと称する）方式である。
【０００５】
従来は、ＣＳＳ方式が主流であったが、近年の磁気ディスクの高密度化等に伴ない磁気ディスクの表面粗さが小さくなってきて、磁気ヘッドが磁気ディスク表面に一旦接触するとそのまま吸着してしまうという吸着（スティクション）障害を引き起こす危険性が高まってきている。
【０００６】
また、磁気ディスク装置を内蔵したノート型パーソナルコンピュータ等の可搬型機器の場合、しばしば持ち運ばれるため、高い耐衝撃性が必要とされ、ＣＳＳ方式の場合は磁気ヘッドが磁気ディスクに接触するため衝撃には不利であるという問題もある。
【０００７】
このようなことから、近年では磁気ディスク装置にロード／アンロード方式が広く採用されてきている。ロード／アンロード方式の場合、動作停止時には磁気ヘッドが磁気ディスクから離れた位置で待機するため、ＣＳＳ方式と比べ高い耐衝撃性を保つことができる。
【０００８】
ここで、磁気ディスク装置は、磁気ディスクと磁気ヘッドを極めて接近させた状態を保つ必要があるため、装置内部の空気中の塵埃を高度に除去する必要があり、このため磁気ディスクの回転に伴って空気流が生じるのを利用して空気流中の塵埃を除去するためのフィルタを内蔵しているのが一般的である。
【０００９】
図１は、ＣＣＳ方式の磁気ディスク装置の、上カバーを取り外した状態の概略平面図、図２は、図１に示すＣＣＳ方式の磁気ディスク装置に内蔵されているフィルタケースを示す斜視図である。
【００１０】
この磁気ディスク装置１０Ａには、図示しないディスクコントロールモータ（ＤＣＭ）（によって、回転軸１１を中心に矢印Ａ方向に回転駆動される磁気ディスク１２が備えられている。また、この磁気ディスク装置１０Ａには、磁気ディスク１２に対向する磁気ヘッド１３を先端に備え回動軸１４を中心に回動するキャリッジアーム１５、およびそのキャリッジアーム１５を回動駆動して磁気ヘッド１３を磁気ディスク１２の半径方向に移動させるボイスコイルモータ（ＶＣＭ）１６が装備されている。磁気ディスク１２へのデータの書き込み、あるいは磁気ディスク１２に記憶されたデータの読み出しにあたっては、ＤＣＭによって磁気ディスク１２が回転駆動されている状態においてＶＣＭ１６によってキャリッジアーム１５が回動駆動され、そのキャリッジアーム１５の先端の磁気ヘッド１３が磁気ディスク１２の所望のトラックに位置決めされて、磁気ヘッド１３によって、磁気ディスク１２上の所望のトラックに、その磁気ディスク１３の回転に伴って順次に磁気的にデータが書き込まれ、あるいは順次に磁気的にデータがピックアップされる。
【００１１】
また、この磁気ディスク装置１０Ａには、装置内の空気を乾燥状態に保つための乾燥剤活性炭ユニット（ＡＤユニット）１７が備えられている。
【００１２】
さらに、この磁気ディスク装置１０Ａには、矢印Ａ方向に磁気ディスク１２の矢印Ａ方向への回転に伴って装置内に空気流が発生することを利用し、その空気流の流路に、フィルタを保持したフィルタケース１８が配備されている。
【００１３】
図２（Ａ），（Ｂ）は、そのフィルタケース１８を別々の角度から見て示した斜視図であり、このフィルタケース１８には一点鎖線で示す位置にフィルタ１９が保持され、その状態で、図１に示す位置に配置されている。このフィルタケース１８は、フィルタ１９を保持する役割りに加え、磁気ディスク１２側を向いた面にスリットシュラウド１８１が形成され、磁気ディスク１２の回転に伴うバタつき（ディスクフラッタ）の抑制が図られている。
【００１４】
図３は、ロード／アンロード方式の磁気ディスク装置の、上カバーを取り外した状態の概略平面図である。
【００１５】
図１に示すＣＣＳ方式の磁気ディスク装置との、図面上に表われた部分の相違点について説明する。
【００１６】
尚、この図３には、キャリッジアーム１５が複数本図示されているが、これはキャリッジアーム１５の動きを示したものであり、複数本存在するものではない。
【００１７】
図３に示すロード／アンロード方式の磁気ディスク装置１０Ｂは、磁気ディスク１２の外周から外れた位置に磁気ヘッド１３をアンロードさせて待機させておくランプ２１が備えられている。このため、フィルタケース２２は、図１に示すフィルタケース１８の配置位置には配置することができず、例えば図３に示すフィルタケース２２の位置に配置し、そのフィルタケース２２にフィルタ２３を保持させることになる。特許文献１には、ロード／アンロード方式の磁気ディスク装置において、図３と類似の位置にフィルタを配置することが開示されている。
【００１８】
また、特許文献２には、ロード／アンロード方式の磁気ディスク装置において、図３におけるＡＤユニット１７の位置に、図３に示すフィルタ２３の向きとは略９０°異なる向きにフィルタを配置することが開示されている。
【特許文献１】特開２００３−１５１１２５８号公報
【特許文献２】特開２００５−７１５８４号公報
【発明の開示】
【発明が解決しようとする課題】
【００１９】
フィルタを、図３に示すように、あるいは特許文献１に示すように配置すると、空気流を大きく取り込むことができず、空気中の塵埃除去能力に劣るという問題がある。
【００２０】
また、フィルタを、特許文献２に示すように、図３のＡＤユニット１７の位置に図３に示すフィルタ２２の向きを略９０°向きに配置した場合、今度は大容量のＡＤユニット１７の配置スペースが問題となり、装置の大型化を招きかねない。
【００２１】
本発明は、上記事情に鑑み、塵埃除去能力の高いフィルタを備えた、ロード／アンロード方式の磁気ディスク装置を提供することを目的とする。
【課題を解決するための手段】
【００２２】
上記目的を達成する本発明の磁気ディスク装置は、回転する磁気ディスク上に、その磁気ディスクをアクセスする磁気ヘッドを先端に備えたキャリッジアーム先端の磁気ヘッドを位置決めして、磁気ディスクをアクセスする磁気ディスク装置において、
磁気ヘッドを磁気ディスクから離れた位置に保持するランプと、
磁気ディスクの回転に伴って装置内を流れる空気流中の塵埃を除去するフィルタを、磁気ディスクと共同してランプを囲うように折り曲げた状態に保持するフィルタケースとを備えたことを特徴とする。
【００２３】
本発明の磁気ディスク装置は、フィルタを、磁気ディスクと共同してランプを囲うように折り曲げた状態に保持するフィルタケースを備えたため、装置の大型化を招くことなく、空気流の広い領域をカバーする大面積のフィルタを備えることができ、装置内の空気中の塵埃除去能力の高い磁気ディスク装置が実現する。
【００２４】
ここで、上記本発明の磁気ディスク装置において、上記フィルタケースの一端側に、磁気ディスク近傍に位置するスリットシュラウドが形成されていることが好ましい。
【００２５】
本発明の磁気ディスク装置の場合、フィルタケースは、フィルタを、磁気ディスクと共同してランプを囲うように折り曲げた状態に保持するものであるため、その一端側を磁気ディスクに近接させることができ、その一端側にスリットシュラウドを形成して磁気ディスクの走行を一層安定化させることができる。
【発明の効果】
【００２６】
以上説明したように、本発明によれば、高い塵埃除去能力を有するロード／アンロード方式の磁気ディスク装置を提供することができる。
【発明を実施するための最良の形態】
【００２７】
以下、本発明の実施形態について説明する。
【００２８】
図４は、本発明の一実施形態としてのロード／アンロード方式の磁気ディスク装置の、上カバーを取り外した状態の平面図、図５は図４に示す磁気ディスク装置に内蔵されているフィルタケースを示す斜視図である。
【００２９】
ここでは、図１，図３に示す各磁気ディスク装置の構成要素と同一の構成要素には、同一の符号を付して示し、相違点について説明する。
【００３０】
また、図６，図７は、図４に平面図を示す磁気ディスク装置の斜視図である。これら図６，図７においても上カバーは取り外されており、さらに、図４に示すＡＤユニット１７も取り外されている。さらに、図６ではフィルタケース３２中のフィルタは図示されておらず、一方図７では、フィルタケースを分解して示している。
【００３１】
図４〜図７に示す磁気ディスク装置１０Ｃは、ロード／アンロード方式の磁気ディスク装置であり、磁気ヘッド１３を磁気ディスク１２から離れた位置に保持するランプ２１を備えている。
【００３２】
また、この磁気ディスク装置１０Ｃは、フィルタ３３を保持するフィルタケース３２を備えている。このフィルタケース３２は、図５に示すようにフィルタ３３を折り曲げた形状に保持し、このフィルタ３３は、磁気ディスク１２と共同してランプ２１を囲うように配置されている。
【００３３】
また、このフィルタケース３２の一端側は、磁気ディスク１２の近傍に位置しており、その部分には、スリットシュラウド３２１（（図５（Ｂ）参照））が形成され、磁気ディスク１２の回転に伴う空気流による、磁気ディスク１２のバタつき（フラッタ）が抑制されている。
【００３４】
このフィルタケース３２の構造および配置位置によれば、磁気ディスク１２の回転に伴って発生して装置内を流れる空気流を効率よく捉える位置に大面積のフィルタ３３が配置されて空気流の塵埃の効率的な除去が行なわれ、しかも図１，図３に示す例と同様、そのフィルタケース３２に隣接した位置に大容量のＡＤユニット１７を設けることができる。
【図面の簡単な説明】
【００３５】
【図１】ＣＣＳ方式の磁気ディスク装置の、上カバーを取り外した状態の概略平面図である。
【図２】図１に示すＣＣＳ方式の磁気ディスク装置に内蔵されているフィルタケースを示す斜視図である。
【図３】ロード／アンロード方式の磁気ディスク装置の、上カバーを取り外した状態の概略平面図である。
【図４】本発明の一実施形態としてのロード／アンロード方式の磁気ディスク装置の、上カバーを取り外した状態の平面図である。
【図５】図４に示す磁気ディスク装置に内蔵されているフィルタケースを示す斜視図である。
【図６】図４に平面図を示す磁気ディスク装置の斜視図である。
【図７】図４に平面図を示す磁気ディスク装置の斜視図である。
【符号の説明】
【００３６】
１０Ａ，１０Ｂ，１０Ｃ    磁気ディスク装置
１１    回転軸
１２    磁気ディスク
１３    磁気ヘッド
１４    回動軸
１５    キャリッジアーム
１６    ボイスコイルモータ（ＶＣＭ）
１７    ＡＤユニット
１８，２２，３２    フィルタケース
１９，２３，３３    フィルタ
１８１，３２１    スリットシュラウド
【図１】
0004521329.tif 000002
【図２】
0004521329.tif 000003
【図３】
0004521329.tif 000004
【図４】
0004521329.tif 000005
【図５】
0004521329.tif 000006
【図６】
0004521329.tif 000007
【図７】
0004521329.tif 000008